(57)【特許請求の範囲】
【請求項１】
インターネットプロトコル（ＩＰ）により通信が実施される回線網（ＩＰ網）に接続されたＩＰ交換装置と、ＩＰ網に接続された複数のＩＰ電話装置から構成されるＩＰ電話通信システムであって、
前記ＩＰ交換装置は、
独自アドレスを含むクロックパケットを生成して個々の独自アドレス毎に別個にＩＰ網に送出できるＩＰ網インターフェースを複数個備え、
少なくとも２個のＩＰ網インターフェースから第１優先順のクロックパケットと、第２優先順のクロックパケットを送出し、
前記ＩＰ電話装置は、
受信したパケットから第１優先順のクロック信号を検出する第１優先順クロック検出部と、
受信したパケットから第２優先順のクロック信号を検出する第２優先順クロック検出部と、
第１優先順のクロック信号について次のクロック信号を受信するまでの時間と、第２優先順のクロック信号について次のクロック信号を受信するまでの時間とを、各々個別に計測する受信タイマと、
前記受信タイマで、第１優先順または第２優先順の次のクロック信号を受信するまでの時間が所定時間を超過した場合に、前記クロック信号が断たれたことをＩＰ交換装置に通知するクロック断通知部
を備えることを特徴とするＩＰ電話通信システム。
【請求項２】
前記ＩＰ交換装置は、
前記ＩＰ電話装置から第１優先順のクロック信号が断たれたこと通知された場合、
それ以前の第２優先順のクロック信号を第１優先順のクロック信号に変更し、
新規に設定されたＩＰ網インターフェースから第２優先順のクロック信号を送出させ、
前記ＩＰ電話装置に向けて、変更されたＩＰ網インターフェースの独自アドレス、および、新規に設定されたＩＰ網インターフェースの独自アドレスを通知する
ことを特徴とする請求項１に記載のＩＰ電話通信システム。
【請求項３】
前記ＩＰ交換装置は、
前記ＩＰ電話装置から第２優先順のクロック信号が断たれたこと通知された場合、
新規に設定されたＩＰ網インターフェースから第２優先順のクロック信号を送出させ、
前記ＩＰ電話装置に向けて、新規に設定されたＩＰ網インターフェースの独自アドレスを通知する
ことを特徴とする請求項１に記載のＩＰ電話通信システム。
【発明の詳細な説明】
【０００１】
【発明の属する技術分野】
本発明は、インターネットプロトコル回線網（ＩＰ網）を利用して音声信号の送受信を行うＩＰ電話通信システムに関し、特に、ＩＰ電話通信システムで必要になるクロック信号を多重化し、そのクロック信号の切替を自動化したシステムに関する。
【０００２】
【従来の技術】
近年になり、ＩＰ網を利用して電話通信が実施されるようになり、ＩＰ電話装置同士でＩＰ網を介して電話通信できるばかりでなく、既存の電話機および既存の電話回線（局線）とＩＰ電話装置との間でも電話通信できるＩＰ電話通信システムが知られている。
【０００３】
図７は、従来のＩＰ電話通信システムの構成を示すブロック図である。
図７において、２がＩＰ網であり、７が第１ＩＰ電話装置であり、８が第２ＩＰ電話装置であり、９がＩＰ交換装置である。第１ＩＰ電話装置７、第２ＩＰ電話装置８、および、ＩＰ交換装置９は、全て、ＩＰ網２に接続されている。また、ＩＰ交換装置９は、既存局線６とも接続され、既存電話機５と、第１ＩＰ電話装置７あるいは第２ＩＰ電話装置８との電話通信を可能にしている。ＩＰ網２には、ＩＰ対応の各種スイッチ、リピータハブ、ルータ等が含まれる。
【０００４】
ＩＰ電話通信システムでは、音声信号はパケット単位でＩＰ網２を介して送受信される。また、パケットは各々ヘッダ内に送信元と送信先のアドレスを有しているので、例えば、１つのＩＰ回線しか接続されていなくても、複数のＩＰ電話装置７、８等からのパケットを時分割して送受信することで多重通信が可能である。但し、複数のＩＰ電話装置７、８等で扱われるパケットを誤り無く送受信するためには、各ＩＰ電話装置７、８等のクロックを同期させる必要があり、通常は、例えば、１個のＩＰ交換装置９から各ＩＰ電話装置７、８等に１種類のクロックパケットＣ１、Ｃ２が供給される。
【０００５】
図７では、通信先毎に分類できるように、ＩＰ交換装置９と第１ＩＰ電話装置７との間で用いられるクロック信号をＣ１とし、ＩＰ交換装置９と第２ＩＰ電話装置８との間で用いられるクロック信号をＣ２としているが、クロックパケットＣ１とクロックパケットＣ２は、クロックタイミングが同じで、送信先アドレスのみが異なるクロックパケットである。つまり、クロックパケットＣ１とクロックパケットＣ２は、例えば、ＩＰマルチキャストによって同報送信されたパケットである。
【０００６】
ＩＰ交換装置９内には、例えば、既存電話機５からの音声信号をＩＰ網２で伝送可能なパケット信号に変換したり、その逆方向の変換を実施するＩＰ網インターフェース９１と、そのＩＰ網インターフェース９１に制御用バスで接続されてクロックパケットＣ１とクロックパケットＣ２の送信を制御すると共に、他の音声信号のパケットの送受信を制御し、さらに、ＩＰ交換装置９内の動作全体を制御する制御部１５が備えられている。
【０００７】
また、ＩＰ網インターフェース９１は、さらに、送信先毎にクロックパケットＣ１、Ｃ２を生成するクロックパケット生成部９１１と、各クロックパケットＣ１、Ｃ２のヘッダ内に格納される送信元アドレスとなるＩＰ網インターフェース９１のアドレスを収容するアドレス記憶部９１２を有している。
【０００８】
第１ＩＰ電話装置７内には、クロックパケットＣ１の受信および音声信号等のパケットを送受信する通信制御部７１と、受信したクロックパケットＣ１からクロック信号を検出するクロック検出部７３と、通信制御部７１およびクロック検出部７３の動作を制御する制御部７２を有している。
【０００９】
第２ＩＰ電話装置８内には、第１ＩＰ電話装置７内と同様に、クロックパケットＣ２の受信および音声信号のパケットの送受信を行う通信制御部８１と、受信したクロックパケットＣ２からクロック信号を検出するクロック検出部８３と、通信制御部８１およびクロック検出部８３の動作を制御する制御部８２を有している。
【００１０】
第１ＩＰ電話装置７は、クロックパケットＣ１を受信して、クロック検出部７３でクロック信号を検出すると、そのクロック信号に同期させて、以降の音声信号のパケットを送信する。同様にして、第２ＩＰ電話装置８も、クロックパケットＣ２を受信して、クロック検出部８３でクロック信号を検出すると、そのクロック信号に同期させて、以降の音声信号のパケットを送信する。
【００１１】
すると、第１ＩＰ電話装置７から送出されるパケットと、第２ＩＰ電話装置８から送信されるパケットは同じタイミングのクロック信号に同期して送信されるので、ＩＰ網２を伝送中にパケットが紛失する事態等が減少し、通信品質の劣化を防ぐことができる。
【００１２】
【発明が解決しようとする課題】
しかしながら、ＩＰ網２には、上記した第１ＩＰ電話装置７、第２ＩＰ電話装置８、あるいは、ＩＰ交換装置９以外にも、多くの通信装置やコンピュータ等が接続されているので、ＩＰ電話通信システムでＩＰ網２の全帯域を占有して使用することはできない。そのため、ＩＰ電話通信システムを構成する装置間の同期をいくら良くしても、例えば、他の装置から送出されたパケットにより伝送中のパケットが紛失する場合がある。また、ＩＰ網２自体の不具合によりパケットが紛失する場合や、ＩＰ交換装置９内のＩＰ網インターフェース９１の不具合によりパケットが紛失する場合もある。
【００１３】
図７に示した従来のＩＰ電話通信システムでは、クロックパケット生成部９１１が１個であり、その１個のクロックパケット生成部９１１から送出されるクロックパケットＣ１あるいはクロックパケットＣ２により、第１ＩＰ電話装置７あるいは第２ＩＰ電話装置８で同期を取っていた。そのため、例えば、クロックパケットＣ１あるいはクロックパケットＣ２が上記した不具合により紛失してしまうと、第１ＩＰ電話装置７あるいは第２ＩＰ電話装置８では音声信号用のパケットの同期を取ることができなくなり、通信品質を劣化させてしまい、最悪の場合には通信できなくなっていた。
【００１４】
本発明は、上述した如き従来の問題を解決するためになされたものであって、クロックパケットが紛失した場合でも通信品質の劣化が少ないＩＰ電話通信システムを提供することを目的とする。
【００１５】
【課題を解決するための手段】
上述の目的を達成するため、請求項１に記載した本発明のＩＰ電話通信システムは、インターネットプロトコル（ＩＰ）により通信が実施される回線網（ＩＰ網）に接続されたＩＰ交換装置と、ＩＰ網に接続された複数のＩＰ電話装置から構成されるＩＰ電話通信システムであって、ＩＰ交換装置は、独自アドレスを含むクロックパケットを生成して個々の独自アドレス毎に別個にＩＰ網に送出できるＩＰ網インターフェースを複数個備え、少なくとも２個のＩＰ網インターフェースから第１優先順のクロックパケットと、第２優先順のクロックパケットを送出し、ＩＰ電話装置は、受信したパケットから第１優先順のクロック信号を検出する第１優先順クロック検出部と、受信したパケットから第２優先順のクロック信号を検出する第２優先順クロック検出部と、第１優先順のクロック信号について次のクロック信号を受信するまでの時間と、第２優先順のクロック信号について次のクロック信号を受信するまでの時間とを、各々個別に計測する受信タイマと、受信タイマで、第１優先順または第２優先順の次のクロック信号を受信するまでの時間が所定時間を超過した場合に、クロック信号が断たれたことをＩＰ交換装置に通知するクロック断通知部を備えることを特徴とする。
【００１６】
また、請求項２の本発明は、請求項１に記載のＩＰ電話通信システムにおいて、ＩＰ交換装置は、ＩＰ電話装置から第１優先順のクロック信号が断たれたこと通知された場合、それ以前の第２優先順のクロック信号を第１優先順のクロック信号に変更し、新規に設定されたＩＰ網インターフェースから第２優先順のクロック信号を送出させ、ＩＰ電話装置に向けて、変更されたＩＰ網インターフェースの独自アドレス、および、新規に設定されたＩＰ網インターフェースの独自アドレスを通知することを特徴とする。
【００１７】
また、請求項３の本発明は、請求項１に記載のＩＰ電話通信システムにおいて、ＩＰ交換装置は、ＩＰ電話装置から第２優先順のクロック信号が断たれたこと通知された場合、新規に設定されたＩＰ網インターフェースから第２優先順のクロック信号を送出させ、ＩＰ電話装置に向けて、新規に設定されたＩＰ網インターフェースの独自アドレスを通知することを特徴とする。
【００１８】
【発明の実施の形態】
以下、本発明を図示した実施形態に基づいて説明する。
図１は、本発明の実施形態のＩＰ電話通信システムの構成を示すブロック図である。
尚、図１において、図７に示した従来のＩＰ電話通信システムと同じ機能の部分については同じ符号を付し、重複する説明を省略する。
【００１９】
図１のＩＰ電話通信システムは、ＩＰ網２に接続された少なくとも１個のＩＰ交換装置１と、ＩＰ網２に接続された複数個のＩＰ電話装置（第１ＩＰ電話装置３、第２ＩＰ電話装置４、・・・）と、から構成される。なお、ＩＰ交換装置１、第１ＩＰ電話装置３、および、第２ＩＰ電話装置４は、全てＩＰマルチキャストに対応しているものとする。
【００２０】
ＩＰ交換装置１の中には、複数のＩＰ網インターフェース（第１ＩＰ網インターフェース１１〜第４ＩＰ網インターフェース１４）が備えられ、各々が制御用バスを介して制御部１５と接続されている。
【００２１】
本実施形態のＩＰ交換装置１の中の各ＩＰ網インターフェースの基本的な内部構成は同様であり、ＩＰ網インターフェースとして基本的な通信パケットを送受信する構成の他に、例えば、第１ＩＰ網インターフェース１１には、ＩＰ電話装置が同期をとるために必要となるクロック信号を生成して送出するクロックパケット生成部１１１と、第１ＩＰ網インターフェース１１のアドレスを記憶するアドレス記憶部１１２と、クロックパケット生成部１１１で生成されてＩＰ網２に送出されるクロック信号が対象となるＩＰ電話装置にとって主クロック信号であるか、副クロック信号であるかを設定する主副設定部１１３を備えている。
【００２２】
また、各クロックパケット生成部１１１、１２１、１３１、および、１４１は、各々アドレス記憶部１１２、１２２、１３２、および、１４２に格納されている独自のアドレスを含むクロックパケットを生成して、個々の独自アドレス毎に別個にＩＰ網に送出することができる。
【００２３】
図１に示したように、クロック信号が主と副（第１優先順クロック信号と第２優先順クロック信号）の２種類である場合、ＩＰ交換装置１の制御部１５では、第１ＩＰ網インターフェース１１〜第４ＩＰ網インターフェース１４から２個のＩＰ網インターフェースを選んで、一方のＩＰ網インターフェースからは、主クロック信号のクロックパケットを送出させ、他方のＩＰ網インターフェースからは、副クロック信号のクロックパケットを送出させる。同様にして、クロック信号が３種類の場合には、制御部１５では、３個のＩＰ網インターフェースを選び、各インターフェースのクロックパケット出力に対して第１から第３までの優先順位を設定すれば良い。
【００２４】
本実施形態の各ＩＰ電話装置の基本的な内部構成は同様であり、ＩＰ電話装置として基本的な通信パケットをＩＰ網２に送受信し、通信パケットと音声信号の変換を実施し、使用者に対しては音声信号と入出力する構成である通信制御部３１と制御部３２の他に、主クロック検出部３３と、副クロック検出部３４と、受信タイマ３５と、クロック断通知部３６を備えている。
【００２５】
例えば、第１ＩＰ電話装置３では、主クロック検出部３３は、受信したパケットから第１優先順のクロック信号（主クロック信号）を検出する。副クロック検出部３４は、受信したクロックパケットから第２優先順のクロック信号（副クロック信号）を検出する。
【００２６】
受信タイマ３５は、第１優先順のクロック信号について次のクロック信号を受信するまでの時間と、第２優先順のクロック信号について次のクロック信号を受信するまでの時間とを、各々個別に計測するクロック断通知部３６は、受信タイマ３５において、第１優先順または第２優先順の各クロック信号について、各々次のクロック信号を受信するまでの時間が所定時間を超過したことが検出された場合に、時間超過が検出されたクロック信号については断たれた（受信できなかった）ことをＩＰ交換装置に通知する。
【００２７】
第２ＩＰ電話装置４も、第１ＩＰ電話装置３と同様な機能である、主クロック検出部４３と、副クロック検出部４４と、受信タイマ４５と、クロック断通知部４６を備えている。
【００２８】
次に本実施形態の動作について説明する。
図２は、図１のＩＰ電話通信システムの通常時のクロック信号が送出されるようすを示す図である。
【００２９】
図２では、第１ＩＰ電話装置３と、第２ＩＰ電話装置４とが、ＩＰ網２およびＩＰ交換装置１を介して通信接続された場合を示している。第１ＩＰ電話装置３と第２ＩＰ電話装置４との通信接続が確立（回線が接続）され、ＩＰ交換装置１では、制御部１５により、第１ＩＰ網インターフェース１１を主クロック信号用に割り当て、第２ＩＰ網インターフェース１２を副クロック信号用に割り当てている。
【００３０】
第１ＩＰ網インターフェース１１からは、第１ＩＰ網インターフェース１１のアドレスを含ませてクロックパケットを生成し、第１ＩＰ電話装置３に対してクロックパケットＭＣ１として送出すると共に、第２ＩＰ電話装置４に対してクロックパケットＭＣ２として送出する。これは、例えば、ＩＰマルチキャストによって同報送信すれば良い。
【００３１】
第２ＩＰ網インターフェース１２からは、第２ＩＰ網インターフェース１２のアドレスを含ませてクロックパケットを生成し、第１ＩＰ電話装置３に対してクロックパケットＳＣ１として送出すると共に、第２ＩＰ電話装置４に対してクロックパケットＳＣ２として送出する。
【００３２】
第１ＩＰ電話装置３では、クロックパケットＭＣ１とクロックパケットＳＣ１を通信制御部３１で受信すると、主クロック検出部３３で、クロックパケットＭＣ１から主クロック信号が検出され、副クロック検出部３４で、クロックパケットＳＣ１から副クロック信号が検出される。
【００３３】
第１ＩＰ電話装置３では、主クロック信号と副クロック信号が双方とも検出されている間は、主クロック信号により受信する全てのパケットの同期をとり、副クロック信号については、棄却する。この場合には、クロック断通知部３６は何も動作しない。
【００３４】
受信タイマ３５は、主クロックと副クロックの各々について、個別に１つのクロック信号の受信から次のクロック信号の受信までの時間を計測する。そして、次のクロック信号の受信が確認された時点で、再び、その信号受信からの時間計測を新規に開始する。
【００３５】
図３は、図２のＩＰ電話通信システムにおいて主クロック信号が断となった場合の第１ＩＰ電話装置３からの信号を示す図である。
図３において、第１ＩＰ電話装置３の主クロック検出部３３では、主クロック信号が検出されなくなり、副クロック検出部３４では、副クロック信号が検出されている。この場合には、第１ＩＰ電話装置３の制御部３２は、受信タイマ３５で主クロック信号が所定時間以上検出されないことを確認してパケット到達エラーと判断し、クロック断通知部３６からＩＰ交換装置１の第２ＩＰ網インターフェース１２に対して、主クロックが断状態になったことをイベントパケットＥＶ１により通知する。
【００３６】
なお、図３では、第１ＩＰ電話装置３からのイベントパケットＥＶ１により主クロックが断となったことをＩＰ交換装置１に通知する場合を示したが、第２ＩＰ電話装置４からのイベントパケットにより主クロックが断となったことをＩＰ交換装置１に通知する場合も考えられる。その場合には、図３のイベントパケットＥＶ１が第２ＩＰ電話装置４から出力されるように変更し、上記説明中の第１ＩＰ電話装置３内の各構成を、第２ＩＰ電話装置４内の各構成に読み替えれば良い。
【００３７】
図４は、図２のＩＰ電話通信システムにおいて主クロック信号が断となった場合のＩＰ交換装置１からの信号を示す図である。
ＩＰ交換装置１では、主クロックが断状態になったことを示すイベントパケットＥＶ１を第２ＩＰ網インターフェース１２で受信すると、制御部１５では、第２ＩＰ網インターフェース１２に対して、副クロック信号の主クロック信号化指示（オーダ）を出力する。
【００３８】
第２ＩＰ網インターフェース１２では、第１ＩＰ電話装置３に対して第２ＩＰ網インターフェース１２から送出されるクロック信号（クロックパケット）を主クロック信号と見なすように指示（オーダＯＤ１）し、第２ＩＰ電話装置４に対しても第２ＩＰ網インターフェース１２から送出されるクロック信号（クロックパケット）を主クロック信号と見なすように指示（オーダＯＤ２）する。
【００３９】
このＯＤ１、ＯＤ２は、例えば、第１ＩＰ電話装置３と第２ＩＰ電話装置４が、第２ＩＰ網インターフェース１２のアドレスを送信元アドレスとして含むクロックパケットを受信した場合、そのパケットに含まれるクロック信号を主クロック信号と判断させる指示である。
【００４０】
また、ＩＰ交換装置１の制御部１５は、第３ＩＰ網インターフェース１３に対しても、新規に副クロック信号のパケットを生成して送出するように指示（オーダ）を出力する。
【００４１】
第３ＩＰ網インターフェース１３では、第１ＩＰ電話装置３に対して自ＩＰ網インターフェース（第３ＩＰ網インターフェース）１３から送出されるクロック信号（クロックパケット）を副クロック信号と見なすように指示（オーダＯＤ３）し、第２ＩＰ電話装置４に対しても自ＩＰ網インターフェース（第３ＩＰ網インターフェース）１３から送出されるクロック信号（クロックパケット）を副クロック信号と見なすように指示（オーダＯＤ４）する。
【００４２】
このＯＤ３、ＯＤ４は、例えば、第１ＩＰ電話装置３と第２ＩＰ電話装置４が、第３ＩＰ網インターフェース１３のアドレスを送信元アドレスとして含むクロックパケットを受信した場合、そのパケットに含まれるクロック信号を副クロック信号と判断させる指示である。
【００４３】
その後、第３ＩＰ網インターフェース１３から、第２ＩＰ網インターフェース１２のアドレスを含ませてクロックパケットを生成し、第１ＩＰ電話装置３に対してクロックパケットＳＣ１として送出すると共に、第２ＩＰ電話装置４に対してクロックパケットＳＣ２として送出する。
【００４４】
図５は、図２のＩＰ電話通信システムにおいて副クロック信号が断となった場合の第１ＩＰ電話装置３からの信号を示す図である。
図５において、第１ＩＰ電話装置３の副クロック検出部３４では、副クロック信号が検出されなくなり、主クロック検出部３３では、主クロック信号が検出されている。この場合には、第１ＩＰ電話装置３の制御部３２は、受信タイマ３５で副クロック信号が所定時間以上検出されないことを確認してパケット到達エラーと判断し、クロック断通知部３６からＩＰ交換装置１の第１ＩＰ網インターフェース１１に対して、副クロックが断状態になったことをイベントパケットＥＶ２により通知する。
【００４５】
なお、図５では、第１ＩＰ電話装置３からのイベントパケットＥＶ２により副クロックが断となったことをＩＰ交換装置１に通知する場合を示したが、第２ＩＰ電話装置４からのイベントパケットにより副クロックが断となったことをＩＰ交換装置１に通知する場合も考えられる。その場合には、図５のイベントパケットＥＶ２が第２ＩＰ電話装置４から出力されるように変更し、上記説明中の第１ＩＰ電話装置３内の各構成を、第２ＩＰ電話装置４内の各構成に読み替えれば良い。
【００４６】
図６は、図２のＩＰ電話通信システムにおいて副クロック信号が断となった場合のＩＰ交換装置１からの信号を示す図である。
ＩＰ交換装置１では、副クロックが断状態になったことを示すイベントパケットＥＶ２を第１ＩＰ網インターフェース１１で受信すると、制御部１５では、第１ＩＰ網インターフェース１１に対しては、特に指示（オーダ）を出力しない。
【００４７】
しかし、ＩＰ交換装置１の制御部１５は、第３ＩＰ網インターフェース１３に対しては、新規に副クロック信号のパケットを生成して送出するように指示（オーダ）を出力する。
【００４８】
第３ＩＰ網インターフェース１３では、第１ＩＰ電話装置３に対して自ＩＰ網インターフェース（第３ＩＰ網インターフェース）１３から送出されるクロック信号（クロックパケット）を副クロック信号と見なすように指示（オーダＯＤ５）し、第２ＩＰ電話装置４に対しても自ＩＰ網インターフェース（第３ＩＰ網インターフェース）１３から送出されるクロック信号（クロックパケット）を副クロック信号と見なすように指示（オーダＯＤ６）する。
【００４９】
このＯＤ５、ＯＤ６は、図４のＯＤ３、ＯＤ４と同様に、例えば、第１ＩＰ電話装置３と第２ＩＰ電話装置４が、第３ＩＰ網インターフェース１３のアドレスを送信元アドレスとして含むクロックパケットを受信した場合、そのパケットに含まれるクロック信号を副クロック信号と判断させる指示である。
【００５０】
このように、本実施形態のＩＰ交換装置１では、第１ＩＰ網インターフェース１１と第２ＩＰ網インターフェース１２の双方からクロックパケットを送出させて２重化し、通信接続に不都合が生じた一方のクロックパケットが到達しない場合でも、通信接続可能な他方のクロックパケットが到達するので、クロック信号の供給が途絶えることが無くなる。
【００５１】
また、クロックパケットの供給を、通信接続に不都合が生じた一方から他方に切り替える際にも、他方の通信接続は接続されたまま切り替えることができるので、切替中であってもクロックパケットの供給が途切れることがなく、通信品質を劣化させることが無くなる。
【００５２】
また、本実施形態では、ＩＰ交換装置１が１個の場合について説明したが、本発明はこれに限られるものではなく、例えば、複数のＩＰ交換装置がＩＰ網２に接続されている場合で、その中の１個のＩＰ交換装置を上記した実施形態のように動作させても良く、あるいは、複数のＩＰ交換装置も連係動作させることにより、上記した実施形態のように動作させても良い。
【００５３】
また、本実施形態のＩＰ電話装置では、２台のＩＰ電話装置間で通常の通話を行う場合について説明したが、３台以上のＩＰ電話装置間で会議形式で通話する場合も考えられ、その場合には、ＩＰ交換装置１内のＩＰ網インターフェースを追加することで対応することができる。
【００５４】
また、ＩＰ電話装置３または４と、既存電話機５との間で通信接続する場合には、ＩＰ電話装置３または４のみに対して上記した実施形態を実施することで、本発明を実施することができる。
【００５５】
また、本実施形態のＩＰ電話装置では、ＩＰ網に送出される各クロックパケットには、アドレスのみを含ませたが、例えば、さらにクロック優先順信号を含ませるように構成しても良い。このクロック優先順信号とは、例えば、クロック信号が主と副の２種類である場合には、そのクロックパケットで示されるクロック信号が、対象となるＩＰ電話装置にとっての主クロック信号であるか、あるいは、副クロック信号であるかを示す信号である。
【００５６】
クロック信号が３種類である場合には、例えば、第１優先順クロック信号、第２優先順クロック信号、および、第３優先順クロック信号という優先順を示す信号である。第１優先順クロック信号を含むパケットが第１優先順のクロック信号であり、第２優先順クロック信号を含むパケットが第２優先順のクロック信号であり、第３優先順クロック信号を含むパケットが第３優先順のクロック信号となる。
【００５７】
【発明の効果】
上記のように本発明は、ＩＰ交換装置で、第１のＩＰ網インターフェースと第２のＩＰ網インターフェースの双方からクロックパケットを送出させて２重化し、通信接続に不都合が生じた一方のクロックパケットが到達しない場合でも、通信接続可能な他方のクロックパケットを到達させることができるので、クロック信号の供給が途絶えることを無くし、安定してクロック信号を供給することができる。
【００５８】
また、本発明では、クロックパケットの供給を切り替える際にも、通信接続を接続したまま切り替えることができるので、切替中にクロックパケットの供給が途切れることによる通信品質の劣化を無くすことができる。
【図面の簡単な説明】
【図１】  本発明の実施形態のＩＰ電話通信システムの構成を示すブロック図である。
【図２】  図１のＩＰ電話通信システムの通常時のクロック信号が送出されるようすを示す図である。
【図３】  図２のＩＰ電話通信システムにおいて主クロック信号が断となった場合の第１ＩＰ電話装置からの信号を示す図である。
【図４】  図２のＩＰ電話通信システムにおいて主クロック信号が断となった場合のＩＰ交換装置からの信号を示す図である。
【図５】  図２のＩＰ電話通信システムにおいて副クロック信号が断となった場合の第１ＩＰ電話装置からの信号を示す図である。
【図６】  図２のＩＰ電話通信システムにおいて副クロック信号が断となった場合のＩＰ交換装置からの信号を示す図である。
【図７】  従来のＩＰ電話通信システムの構成を示すブロック図である。
【符号の説明】
１  ＩＰ（インターネットプロトコル）交換装置、  ２  ＩＰ網、  ３  第１ＩＰ電話装置、  ４  第２ＩＰ電話装置、  ５  既存電話機、  ６  既存局線、１１  第１ＩＰ網インターフェース、  １２  第２ＩＰ網インターフェース、１３  第３ＩＰ網インターフェース、  １４  第４ＩＰ網インターフェース、１５  制御部、  ３１、４１  通信制御部、  ３２、４２  制御部、  ３３、４３  主クロック検出部、  ３４、４４  副クロック検出部、  ３５、４５  受信タイマ、  ３６、４６  クロック断検出部、  １１１、１２１、１３１、１４１  クロックパケット生成部、  １１２、１２２、１３２、１４２  アドレス記憶部、  １１３、１２３、１３３、１４３  主副設定部、  Ｃ１、Ｃ２  クロックパケット、  ＭＣ１〜ＭＣ４  主クロックパケット（主クロック信号を含む）、  ＳＣ１〜ＳＣ４  副クロックパケット（副クロック信号を含む）、  ＯＤＳ１〜ＯＤＳ２  ＩＰ交換装置内部の制御用指示（オーダ）、  ＯＤ１〜ＯＤ４  ＩＰ交換装置からＩＰ電話装置への指示（オーダ）、  ＥＶ１〜ＥＶ２  ＩＰ電話装置からＩＰ交換装置へのイベント通知。
【図１】
0003875123.tif 000002
【図２】
0003875123.tif 000003
【図３】
0003875123.tif 000004
【図４】
0003875123.tif 000005
【図５】
0003875123.tif 000006
【図６】
0003875123.tif 000007
【図７】
0003875123.tif 000008